(57)【要約】【課題】  ゴルフスコア、アンケート、競馬・競艇の投票券購入用マークシートなどの記入用に広く普及している使い捨て簡易鉛筆だが、軸が細く持ちにくく、使用感が良くない。また、単純で貧弱な構造で、意匠を施して、筆記以外の目的・価値を付加することが困難だった。【解決手段】  簡易鉛筆を挿抜することで替え芯として使用することを可能にする筆記用具の外筒軸を設け、これに簡易鉛筆を装着し筆記に用いる。この外筒軸は、形状、材質の制限が少なく様々な意匠を施すことができ、記念品、ノベルティーグッズ、玩具など、筆記以外の目的や価値を併せもつことができる。【選択図】図１
2020185784.tif 000002
【特許請求の範囲】
【請求項１】
一端に芯先部突出口、他端に後部挿抜口を備え、両端をつなぐ貫通孔に芯先部突出口側から嵌着部と中空部、及び、後部挿抜口から続くスリットを備えた筆記用具の外筒軸
【発明の詳細な説明】
【技術分野】
【０００１】  本発明は、ゴルフスコア、アンケート、競馬・競艇の投票券購入用マークシートなどの記入用に広く普及している使い捨て簡易鉛筆を、替え芯として使用できるようにした筆記用具の外筒軸である。
【背景技術】
【０００２】  従来、筆記用具の使用感を良くするために軟質材からなるグリップ部材を軸筒に装着したものがあった（特許文献１参照）。
【先行技術文献】
【特許文献】
【０００３】
【特許文献１】特開２００９−０４５８８０
【発明の概要】
【発明が解決しようとする課題】
【０００４】  前述した簡易鉛筆は図４に示すクリップ部がヘラ状になっているタイプ即ちペグシル（登録商標）型、及び、図５に示す棒状のタイプ即ちスティック型が普及しているが、いずれも胴軸が細く、持ちづらく使用感が良くない。【０００５】  上述の簡易鉛筆は形状が単純で貧弱で、意匠を施して、記念品、ノベルティーグッズ、玩具など、筆記以外の目的・価値を付与することが困難である。ペグシル型簡易鉛筆ではクリップ部に企業名、店輔名、電話番号を名入れすることが行なわれているが、使い捨てが前提であり、宣伝広告の効果は小さい。
【課題を解決するための手段】
【０００６】  一端に芯先部突出口、他端に後部挿抜口を備え、両端をつなぐ貫通孔に芯先部突出口側から嵌着部と中空部、及び、後部挿抜口から続くスリットを備えた筆記用具の外筒軸を設け、替え芯として簡易鉛筆を後部挿抜口から挿し込み、芯先部を突出させ筆記に用いる。【０００７】  第２の課題解決は、筆記用具の外筒軸に意匠を施すことで叶える。
【発明の効果】
【０００８】  本発明の筆記用具の外筒軸は、適度な太さに造作でき、持ちやすく、使用感を良くすることが可能である。【０００９】  簡易鉛筆を替え芯として使用することで、本発明の筆記用具の外筒軸は継続使用が想定され、使い捨ての簡易鉛筆より宣伝広告媒体として優れている。【００１０】  材質・形状に制限が少なくデザインの自由度が高い。様々な意匠を施すことができ、記念品、ノベルティーグッズ、玩具などにも有用である。【００１１】  簡明で単純な構造とすることで、簡易鉛筆の長所である手軽さ・簡便さを維持しながら、少ない工程と低コストでの製造を可能にした。
【図面の簡単な説明】
【００１２】
【図１】  本発明の筆記用具の外筒軸で丸形鉛筆型の外形をしたものの外観図
【図２】  同外筒軸の図１におけるＡ−Ａ線断面図
【図３】  同外筒軸の図１におけるＢ−Ｂ線断面図
【図４】  ペグシル型簡易鉛筆の側面図（イ）、平面図（ロ）
【図５】  スティック型簡易鉛筆の側面図（イ）、平面図（ロ）
【図６】  図１で示した外筒軸にペグシル型簡易鉛筆を挿し込んだ状態の、図１におけるＡ−Ａ線断面図
【図７】  同状態の図１におけるＢ−Ｂ線断面図
【図８】  簡易鉛筆を挿し込む操作を示す一部断面図
【図９】  簡易鉛筆を抜き取る操作を示す一部断面図
【図１０】  簡易鉛筆の芯先部を外筒軸の嵌着部に押し込んだ状態の一部断面図
【図１１】  本発明の筆記用具の外筒軸に施す意匠の例。六角鉛筆型（イ）、競艇用モーターボート型（ロ）、ボトル型（ハ）、ヒト型（ニ）、ルアー型（ホ）
【発明を実施するための形態】
【００１３】  以下、本発明の実施の形態を説明する。
【００１４】  本発明は簡易鉛筆を挿抜し替え芯として使用するための筒状体であって、図において、一端に芯先部突出口（１）、他端に、簡易鉛筆の挿抜を容易にするために、指先が挿入可能な広さの開口部である後部挿抜口（５）を備える。両端をつなぐ貫通孔に、芯先突出口側から順に、簡易鉛筆の胴軸（９）と相当の径をもち、簡易鉛筆の胴軸の芯先部（８）側を摩擦力のみで保持する嵌着部（２）と、簡易鉛筆が挿抜される中空部（３）を備える。ペグシル型簡易鉛筆のヘラ状のクリップ部（１０）を中空部の径を太くせずに挿抜可能にするスリット（４）を後部挿抜口から筒状体の中央付近に設ける。
本発明は以上のような構成を特徴とする、筆記用具の外筒軸である。
替え芯としてスティック型簡易鉛筆を用いる場合はスリットは不要である。
また、図において、後部挿抜口は、Ｖ字型の切り込み形で示したが、指先が挿入可能なら漏斗形などの他の形状でも良い。
本発明の外形状は任意である。
【００１５】  本発明を筆記に使用するときは、図８で示すように後部挿抜口から簡易鉛筆を挿し込みさらに指先で押し込むことで簡易鉛筆の芯先部を突出させて筆記する。芯（６）が鈍ったり折れたときは図９で示すように、芯先部を机の天板などに当てて押し込み、その分押し出された簡易鉛筆のクリップ部側の端を、後部挿抜口に指先を挿入し摘まんで引き抜き、新しい簡易鉛筆と交換する。筆記に使用しない間は、図１０で示すように芯先部を嵌着部に押し込んで保持する。これにより、芯折れ、芯による刺傷を防ぐことができる。
【００１６】  前述したように簡易鉛筆は嵌着部との摩擦力のみで保持されるが、筆記時（図８の状態）に斜め前方向からかかる筆圧ではへこまず、簡易鉛筆を引き抜く時（図９の状態）には指先で容易に引き抜けなくてはならない。図９において芯先部が嵌着部が押し込まれているが、これは実際には約５〜１０ｍｍで、その分摩擦面が小さくなり摩擦力が小さくなる。この差を調整して、予め、上記の条件を達成する。
【００１７】  図１１は、本発明で、記念品、ノベルティーグッズ、玩具など筆記以外の目的・価値を重視した実施例である。（イ）は六角鉛筆型で、企業名、店輔名、電話番号などの名入れに適しており汎用性が高い。（ロ）は簡易鉛筆が大量に使われている公営ギャンブルに関連するものとして例示した競艇用モーターボート型、（ハ）は商品を摸してノベルティーグッズに用いる例として示したビールびん型である。（ニ）はヒト型でキャラクターグッズなど応用範囲の広いものである。（ホ）はルアー型で実際にルアーとして機能するもので、他の機能との結合例として示した「字も書けるルアー」である。
このようにありとあらゆるデザインが可能だが玩具やノベルティーグッズにおいては特に「字も書ける何々」という要素が面白味になるので筆記の機能は重要である。
【００１８】  本発明の筆記用具の外筒軸の材質について以下に述べる。製造の容易さやコストを考慮すると、切削加工の容易な発泡樹脂や木材、射出成型による樹脂製が挙げられるが、金属、陶器、石材、ガラスなど常識的なものの他、玩具や宣伝広告の目的を重視する場合には、石鹸、ロウソク、消しゴム、チョコレートなども考えられる。複数の素材の組み合わせも可能である。素材自体に意義のある奈良公園の鹿の角製土産物や、複数の部材でつくられる組み木細具など、形状と同様素材の選択も自在である。
【符号の説明】
【００１９】１    芯先部突出口
２    嵌着部
３    中空部
４    スリット
５    後部挿抜口
６    芯
７    錐部
８    芯先部
９    胴軸
１０  クリップ部
【図１】
2020185784.tif 000003
【図２】
2020185784.tif 000004
【図３】
2020185784.tif 000005
【図４】
2020185784.tif 000006
【図５】
2020185784.tif 000007
【図６】
2020185784.tif 000008
【図７】
2020185784.tif 000009
【図８】
2020185784.tif 000010
【図９】
2020185784.tif 000011
【図１０】
2020185784.tif 000012
【図１１】
2020185784.tif 000013